(57)【特許請求の範囲】
【請求項１】
車体（１０）と、
該車体に回転可能に取り付けられている車軸（１５）と、
該車体（１０）より外側の該車軸の両端にそれぞれ取り付けられ、該車体の側に偏心輪（２１）を有する車輪（２０）と、
該車輪（２０）のそれぞれにかぶせられている車輪カバー（３０）とを備える玩具車であって、
該車体（１０）の壁部には水平方向の水平案内溝（２７）を有し、
該車輪カバー（３０）は側面に、該車輪カバーを該水平方向に揺動させるために、該水平案内溝（３０）と係合する突起（３１）と、垂直方向の切り口（３４）であって該偏心輪が該切り口内を可動である切り口（３４）とを備えることを特徴とする玩具車。
【請求項２】
車体（１０）と、
該車体に回転可能に取り付けられている車軸（１５）と、
該車体（１０）より外側の該車軸の両端にそれぞれ取り付けられ、該車体の側に偏心輪（２１）を有する車輪（２０）と、
該車輪（２０）のそれぞれにかぶせられている車輪カバー（４０）とを備える玩具車であって、
該車体（１０）の壁部には垂直方向の垂直案内溝（２６）を有し、
該車輪カバー（４０）は側面に、該車輪カバーを垂直方向の上下に運動させるために、該垂直案内溝と係合する案内縁（４１）と、垂直方向の切り口（４４）であって該偏心輪が該切り口内を可動である切り口（４４）とを備えることを特徴とする玩具車。
【請求項３】
車体（１０）と、
該車体に回転可能に取り付けられている車軸（１５）と、
該車体（１０）より外側の該車軸の両端にそれぞれ取り付けられ、車体の側に偏心輪（２１）を有する車輪（２０）と、
該車輪（２０）のそれぞれにかぶせられている車輪カバーとを備える玩具車であって、
該車体（１０）の壁部には水平方向の水平案内溝と垂直方向の垂直案内溝を有し、
該車輪カバーの一方は第一の車輪カバー（３０）であって、該車輪カバーの他方は第二の車輪カバー（４０）であって、
該第一の車輪カバー（３０）は側面に、該第一の車輪カバーを該水平方向に揺動させるために、該水平案内溝と係合する突起と、垂直方向の切り口であって該偏心輪が該切り口内を可動である切り口とを備え、
該第二の車輪カバー（４０）は側面に、該第二の車輪カバーを垂直方向の上下に運動させるために、該垂直案内溝と係合する案内縁と、垂直方向の切り口であって該偏心輪が該切り口内を可動である切り口とを備えることを特徴とする玩具車。
【請求項４】
請求項１から３のいずれか一項に記載の玩具車であって、該車輪（２０）のそれぞれの偏心輪（２１）は１８０°ずらして該車軸に取り付けられていることを特徴とする玩具車。
【請求項５】
請求項１から４のいずれか一項に記載の玩具車であって、該車体（１０）の上面には差込み式の積み木または像を差し込むための連結要素（１１）を有していることを特徴とする玩具車。
【請求項６】
請求項１から５のいずれか一項に記載の玩具車であって、前記車輪（２０）のそれぞれにかぶせられている車輪カバーはクランクアーム（５２）を連結するためのリンク（５１）を有していることを特徴とする玩具車。
【発明の詳細な説明】
【０００１】
車軸からベルトを介して像部分が動かされる玩具車は種々の実施態様が公知となっている。たとえば、ドイツ国特許第４４０５６１号明細書があげられる。しかしながら、これら公知の玩具車はただ１つの予め与えられた機能のためにのみ構成されている。したがって、このような車を使った遊びは子供にとってきわめて魅力に乏しいものである。
【０００２】
本発明は多様な使い方ができそして子供の想像力をかきたてる各種のバリエーションが可能な玩具車を提供することを目的とする。この目的は特許請求の範囲に記載した特徴の組み合わせによって達成される。
【０００３】
以下、本発明の実施例を添付図面を参照しながら説明する。
【０００４】
図１と２に示した車１は車体１０を有し、この車体は中空の差込み式積み木として構成されており、他の積み木または像をその上はめこむための複数の連結ピン１０を有している。車体の前と後ろにはそれぞれ連結器１２、１３が設けられておりさらに多くの車１を連結することができる。車体１０の下側は床板１４で閉じられている。車体１０の長手方向中央部には１本の車軸１５が車体を貫通しており、そしてその両側壁１６内に回転可能に軸受けされている。車軸１５の各突出ほぞ部１７には平らな切欠き１８が形成されている。ほぞ部１７にはそれぞれ車輪２０が取りつけられている。２つのほぞ部１７の切欠き１７の位置は互いに１８０°だけずらされている。各車輪２０は車体に対面する側に突き出た偏心輪２１を有している。各側壁１６内には２本の垂直案内溝２６と２本の水平案内溝２７とを有している。垂直案内溝２６と水平案内溝２７は連通している。車体１０内にはさらに２つのベアリングボール２８が設けられており、これらベアリングボールの共通水平下側接線は車輪２０と交わる。
【０００５】
図３または４に示したように、車輪２０の上には靴３０，４０をかぶせることができる。図３の示した靴３０は水平方向に行ったり来たりする揺動運動ができる。すなわち、この目的のために、車輪２０の内側面３２を包囲している靴の側面３３には２つの突起３１が設けられている。これらの突起３１は案内溝２７の中に差し込まれて溝と係合する。靴の側面３３内に形成されている細長い垂直方向の切り口３４は偏心輪２１の直径よりわずかに幅が広くなっている。靴３０の外側の壁３５は車輪２０の大部分を覆っている。一対の靴が車輪にかぶせられて車輪２０が回転されられると、それら一対の靴３０は互いに反対方向に前進および後進する。これによって、歩行運動が模倣される。
【０００６】
図４に示した靴４０は図３に示した靴３０とは垂直な案内平縁４１を有している点で異なる。これらの案内平縁４１は垂直溝２６内に係合して案内される。したがって、靴の側面４３に形成された切り口４４の上縁辺４６が偏心輪２１の上に載ることによって靴４０は上下運動することができる。この場合も、靴の外側面４５が車輪２０の大部分を覆う。
【０００７】
図５には、靴３０をはかせた車１の１つの使用例が示されている。この例では車体１０の上にさらに２個の差込み積み木５０が積み重ねられている。靴の外側面３５は中央の上部に孔５１を有する。この孔の中にはクランクアーム５２のピンが差し込まれている。このクランクアームの他端はいまつのリンク５３を介して第２のクランクアーム５４と結合されている。このクランクアーム５４はその他端にピン５５をを有し、このピンが一番上の積み木５０の孔５６の中に差し込まれている。この構成によると、脚運動が模倣される。
【０００８】
車１を多数連結することによって一層魅力的ファンタジックなものが構成される。したっがって子供にとっては遊びが非常に変化に富んだ、想像力を刺激するものとなる。
【図面の簡単な説明】
【図１】本発明による玩具車の上面図である。
【図２】図１の線II-IIに沿って取った断面図である。
【図３】図１の線III-IIIに沿って取った断面図である。
【図４】靴の別の実施例を示す図面である。
【図５】本発明による玩具車の使用例を示す側面図である。
【図面の主な符号の説明】
１  車
１０  車体
１１  連結ピン
１２，１３  連結器
１４  底板
１５  車軸
２０  車輪
２１  偏心輪
３０，４０  靴
２６，２７  案内溝
【図１】
0003781827.tif 000002
【図２】
0003781827.tif 000003
【図３】
0003781827.tif 000004
【図４】
0003781827.tif 000005
【図５】
0003781827.tif 000006